(57)【要約】【課題】充電電力の情報を含む稼動状態の情報を分電盤又は配電盤単位に表示することができる充電電力表示システム及び方法を提供する。【解決手段】充電電力表示システム１００は、車両１０の電池パック１１への充電中の充電電力の情報を含む稼動状態の情報を送信する通信部２１を有する充電器２０と、稼動状態の情報を受信し、充電器２０毎の稼動状態の情報を充電器２０の識別情報と対応付けて記憶すると共に、充電器２０が接続され該充電器２０に電力を供給する分電盤６２又は配電盤６１の識別情報を、充電器２０の識別情報と対応付けて記憶する記憶部３１を有するサーバ装置３０と、サーバ装置３０とインターネット通信網４０を介して接続され、サーバ装置３０に記憶された稼動状態の情報を、分電盤６２又は配電盤６１単位に表示する端末装置５０を備える。【選択図】図１
2016082766.tif 000002
【特許請求の範囲】
【請求項１】
充電中の充電電力の情報を含む稼動状態の情報を送信する通信部を有する充電器と、
前記稼動状態の情報を受信し、前記充電器毎の前記稼動状態の情報を前記充電器の識別情報と対応付けて記憶すると共に、前記充電器が接続され該充電器に電力を供給する分電盤又は配電盤の識別情報を、前記充電器の識別情報と対応付けて記憶する記憶部を有するサーバ装置と、
前記サーバ装置とインターネット通信網を介して接続され、前記サーバ装置の前記記憶部に記憶された前記稼動状態の情報を、前記分電盤又は配電盤単位に表示する端末装置と、
を備えた充電電力表示システム。
【請求項２】
前記通信部は、少なくとも１つの他の充電器の前記稼動状態の情報を受信し、該他の充電器の前記稼動状態の情報と共に、自身の充電器の前記稼動状態の情報を、前記サーバ装置に送信する手段を有することを特徴とする請求項１に記載の充電電力表示システム。
【請求項３】
前記稼動状態の情報として、少なくとも充電中、待機中及び異常状態中のいずれの状態であるかを示す情報を含むことを特徴とする請求項１又は２に記載の充電電力表示システム。
【請求項４】
充電器が、充電中の充電電力の情報を含む稼動状態の情報を送信する通信ステップと、
サーバ装置が、前記稼動状態の情報を受信し、前記充電器毎の前記稼動状態の情報を前記充電器の識別情報と対応付けて記憶すると共に、前記充電器が接続され該充電器に電力を供給する分電盤又は配電盤の識別情報を、前記充電器の識別情報と対応付けて記憶する記憶ステップと、
前記サーバ装置にインターネット通信網を介して接続される端末装置が、前記サーバ装置に記憶された前記稼動状態の情報を、前記分電盤又は配電盤単位に表示する表示ステップと、
を含む充電電力表示方法。
【発明の詳細な説明】
【技術分野】
【０００１】
本発明は、車両に搭載される電池等を充電する複数の充電器の充電電力を含む稼動状態を表示する充電電力表示システム及び方法に関する。
【背景技術】
【０００２】
従来、車両に搭載される電池等を充電する地上設置型の充電器において、充電電力を含む稼動状態の表示は、各充電器単位に表示される。工場等の敷地内に設置される複数の充電器に対して、充電電力を含む稼動状態をまとめて表示することにより、各充電器の運用及び電力管理を適正に行うことができるシステムが要望されている。
【０００３】
ビル等の施設内で使用される電力の消費エネルギーを、用途別、フロア別等に分別して監視するエネルギー監視装置は、特許文献１等により知られている。また、個々の電子機器の電力を個別に管理する電力管理装置は、特許文献２等により知られている。
【先行技術文献】
【特許文献】
【０００４】
【特許文献１】特開２００７−１９９７８３号公報
【特許文献２】特開２０１４−１１７１５４号公報
【発明の概要】
【発明が解決しようとする課題】
【０００５】
工場等の敷地内に設置された複数の充電器は、電力会社からの商用電力が、配電盤及び分電盤を通して供給される。配電盤は、電力会社の商用電力の、工場等の敷地における受電点に設置され、分電盤は、配電盤から敷地内の各所の区画に敷設された幹線の端部に設置される。
【０００６】
このような地上設置型の充電器に対して、各充電器が各電池を充電する充電電力を含む充電器の稼動状態を、各充電器が接続され該充電器に電力を供給する配電盤又は分電盤単位に把握し、管理することができるシステムが要望されている。上記課題に鑑み、本発明は、充電電力の情報を含む稼動状態の情報を分電盤又は配電盤単位に表示することができる充電電力表示システム及び方法を提供することを目的とする。
【課題を解決するための手段】
【０００７】
本発明に係る１つの形態の充電電力表示システムは、充電中の充電電力の情報を含む稼動状態の情報を送信する通信部を有する充電器と、前記稼動状態の情報を受信し、前記充電器毎の前記稼動状態の情報を前記充電器の識別情報と対応付けて記憶すると共に、前記充電器が接続され該充電器に電力を供給する分電盤又は配電盤の識別情報を、前記充電器の識別情報と対応付けて記憶する記憶部を有するサーバ装置と、前記サーバ装置とインターネット通信網を介して接続され、前記サーバ装置の前記記憶部に記憶された前記稼動状態の情報を、前記分電盤又は配電盤単位に表示する端末装置と、を備える。
【発明の効果】
【０００８】
本発明によれば、充電電力の情報を含む稼動状態の情報を、充電器が接続され該充電器に電力を供給する分電盤又は配電盤と対応付けて記憶することにより、充電電力の情報を含む稼動状態の情報を、分電盤又は配電盤単位に表示させることが可能となる。
【図面の簡単な説明】
【０００９】
【図１】本実施形態の充電電力表示システムの構成例を示す図である。
【図２】本実施形態の充電器の構成例を示す図である。
【図３】本実施形態の充電器の稼動状態のデータ例を示す図である。
【図４】本実施形態の充電器の稼動状態の表示例を示す図である。
【図５】本実施形態による充電電力表示の動作例のフローを示す図である。
【発明を実施するための形態】
【００１０】
以下、図面を参照して充電電力表示システム及び充電電力表示の動作について説明する。図１は本実施形態の充電電力表示システムの構成例を示す。充電電力表示システム１００は、フォークリフト等の車両１０に搭載される電池パック１１の電池を充電する複数の充電器２０（２０ａ，２０ｂ，２０ｃ）、各充電器２０（２０ａ，２０ｂ，２０ｃ）から充電電力を含む稼動状態の情報を受信するサーバ装置３０、及びサーバ装置３０からインターネット通信網４０を介して、各充電器２０（２０ａ，２０ｂ，２０ｃ）の稼動状態の情報を、配電盤６１又は分電盤６２（６２ａ，６２ｂ）単位に表示する端末装置５０（５０ａ，５０ｂ，５０ｃ）を備える。
【００１１】
配電盤６１は、電力会社から交流電力６０の供給を受ける受電点に設置され、配電盤６１から工場等の敷地内の各所の区画に敷設される幹線の端部に分電盤６２（６２ａ，６２ｂ）が設置される。充電器２０（２０ａ，２０ｂ，２０ｃ）は、配電盤６１及び分電盤６２（６２ａ，６２ｂ）通して交流電力６０が供給される。
【００１２】
なお、充電器２０（２０ａ，２０ｂ，２０ｃ）、分電盤６２（６２ａ，６２ｂ）及び端末装置５０（５０ａ，５０ｂ，５０ｃ）等、同一の構成要素で複数設けられる構成要素には、同一の数字と共にそれぞれ異なる英字の符合を付しているが、各構成要素をまとめて説明する場合には、英字の符合を省略して数字のみの符号を用いて説明する。
【００１３】
工場等の敷地内に設置される充電器２０の少なくとも１つは、各充電器２０の充電中の充電電力の情報を含む稼動状態の情報を、各充電器２０の識別情報と共に、所定時間毎にサーバ装置３０へ送信する通信部２１を備える。
【００１４】
充電器２０の通信部２１は、携帯電話通信等による無線通信又はデジタル加入者線又は光回線等による有線通信の通信手段２１３を用いて、サーバ装置３０へ上述の各充電器２０の稼動状態の情報を送信する構成を備える。
【００１５】
サーバ装置３０は、各充電器２０の充電中の充電電力の情報を含む稼動状態の情報を受信し、各充電器２０の稼動状態の情報を各充電器２０の識別情報と対応付け、受信日時を示す情報と共に記憶部３１に記憶する。さらに、サーバ装置３０は、各充電器２０が接続され、各充電器２０に交流電力６０を供給する配電盤６１又は分電盤６２の識別情報を、各充電器２０の識別情報と対応付けて記憶部３１に記憶する。
【００１６】
各充電器２０の識別情報とその配電盤６１又は分電盤６２の識別情報との対応付けは、予めサーバ装置３０の記憶部３１内にその対応関係を格納したテーブルを用意しておき、サーバ装置３０は、該テーブルを参照して、各充電器２０が接続された配電盤６１又は分電盤６２の識別情報を認識する構成とすることができる。
【００１７】
或いは、各充電器２０に、当該充電器２０の識別情報と共に、当該充電器２０が接続された配電盤６１又は分電盤６２の識別情報を、ディップスイッチ等により設定しておき、各充電器２０が自身の稼動状態の情報を送信するときに、ディップスイッチ等により設定された自身の識別情報と配電盤６１又は分電盤６２の識別情報とを送信する。
【００１８】
そして、サーバ装置３０は、受信された充電器２０の識別情報と配電盤６１又は分電盤６２の識別情報とから、各充電器２０の識別情報と配電盤６１又は分電盤６２の識別情報とを対応付けて記憶部３１に記憶する構成としてもよい。
【００１９】
サーバ装置３０は、インターネット通信網４０を介して端末装置５０が接続されるように構成され、各端末装置５０は、サーバ装置３０の記憶部３１に記憶された各充電器２０の充電電力を含む稼動状態の情報を、配電盤６１又は分電盤６２単位に表示させる表示手段を備える。
【００２０】
サーバ装置３０へ稼動状態の情報等を送信する通信部２１は、各充電器２０にそれぞれ設けてもよいが、複数の充電器２０のうちの少なくとも１つの充電器２０ａにのみ、サーバ装置３０へ稼動状態の情報等を送信する通信部２１を設ける構成としてもよい。
【００２１】
１つの充電器２０ａに設けられた通信部２１は、他の充電器２０ｂ，２０ｃの充電制御部から通信線２１４を介して、充電電力を含む稼動状態の情報等を所定時間間隔で受信し、該他の充電器２０ｂ，２０ｃの稼動状態の情報等と共に、自身の充電器２０ａの稼動状態の情報等を、所定時間間隔で通信手段２１３によりサーバ装置３０に送信する。
【００２２】
充電器２０が送信する稼動状態の情報としては、少なくとも充電中、待機中又は異常停止のいずれの状態であるかを示す情報を含み、さらに充電中の充電電力の情報を含むものとする。サーバ装置３０は、それらの情報を受信すると記憶部３１に記憶し、集計、編集等の加工を行い、端末装置５０の操作者の要求に従って表示データを端末装置５０に送信する。
【００２３】
図２に充電器２０の構成例を示す。充電器２０は、充電制御ユニット（ＥＣＵ）２２及び充電回路２３を備える。複数の充電器２０のうちの少なくとも１つ例えば充電器２０ａに通信部２１を備える。通信部２１は、通信制御ユニット（ＥＣＵ）２１１及びデータ通信モジュール２１２を備える。
【００２４】
充電制御ユニット（ＥＣＵ）２２は、車両１０の電池パック１１内の電池制御ユニット（ＥＣＵ）１１１とコネクタを介して接続され、電池制御ユニット（ＥＣＵ）１１１から電池１１２の状態情報を受信し、電池１１２の状態情報を基に充電回路２３の充電動作を制御する。
【００２５】
充電回路２３は、電池パック１１内の電池１１２とコネクタを介して接続され、充電制御ユニット（ＥＣＵ）２２の制御に従って電池１１２を充電し、充電制御ユニット（ＥＣＵ）２２は、そのときの充電電力の情報を取得する。
【００２６】
また、充電制御ユニット（ＥＣＵ）２２は、通信制御ユニット（ＥＣＵ）２１１に接続され、充電器２０の充電電力を含む稼動状態の情報を、通信制御ユニット（ＥＣＵ）２１１に送出する。
【００２７】
通信制御ユニット（ＥＣＵ）２１１は、充電制御ユニット（ＥＣＵ）２２から送出される充電電力を含む稼動状態の情報を、充電器２０の識別情報と共にデータ通信モジュール２１２に所定の時間間隔で送出する。データ通信モジュール２１２は、通信制御ユニット（ＥＣＵ）２１１から送出された稼動状態の情報及び各充電器２０の識別情報を、携帯電話通信等の通信手段２１３を用いてサーバ装置３０へ所定の時間間隔で送信する。
【００２８】
工場等の敷地内に設けられた複数の充電器２０のうちの１つの充電器２０ａに通信部２１を設け、１つの充電器２０ａの通信部２１に通信線２１４を介して他の１又は複数の充電器２０ｂ，２０ｃの充電制御ユニット（ＥＣＵ）２２が接続されるように構成した場合、１つの充電器２０ａの通信部２１で他の１又は複数の充電器２０ｂ，２０ｃの稼動状態の情報及び各充電器２０の識別情報を、１つの伝送フレームにまとめて送信することができ、それらの情報をサーバ装置３０に送信するための通信コストを削減することができる。
【００２９】
充電器２０から送信された稼動状態の情報及び各充電器２０の識別情報は、サーバ装置３０で受信され、記憶される。図３の（ａ）にサーバ装置３０で記憶される充電器２０の稼動状態のデータ例を示す。
【００３０】
サーバ装置３０では、各充電器２０の識別情報（充電器ＩＤ）と稼動状態と充電電力と分電盤６２又は配電盤６１の識別情報と受信日時とを対応付けて記憶する。稼動状態は、充電中、待機中又は異常停止のいずれかを示す情報である。
【００３１】
また、サーバ装置３０は、各充電器２０の稼動状態の情報を加工する機能を有し、例えば図３の（ｂ）に示すように、各充電器２０が接続されている分電盤６２又は配電盤６１単位に集計した充電電力、さらにその過去の統計データ等を端末装置５０で表示可能にする。
【００３２】
また、サーバ装置３０は、図４に示すように各充電器２０の稼動状態（稼働率）を、分電盤６２又は配電盤６１単位で、円グラフ等により表示可能なように加工するように構成することができる。図４では、（ａ）は充電器２０ａの稼動状態（稼働率）を表し、（ｂ）は充電器２０ｂの稼動状態（稼働率）を表し、（ｃ）は充電器２０ｃの稼動状態（稼働率）を表しているものとする。
【００３３】
ここで、充電器２０ａ及び充電器２０ｂは、分電盤６２ａに接続され、充電器２０ｃは他の分電盤６２ｂに接続されているものとする。図４の（ｄ）は、分電盤６２ａで集計した充電器２０ａ及び充電器２０ｂの稼動状態（稼働率）の表示例を表している。
【００３４】
このように、充電器２０に通信機能を付加し、充電器２０の充電電力を含む稼動状態の情報をサーバ装置３０に送信し、サーバ装置３０でそれらの情報を加工することにより、各充電器２０の充電電力を含む稼動状態の情報を、分電盤６２又は配電盤６１単位に表示することができる。
【００３５】
なお、サーバ装置３０は、各充電器２０の稼働状態を、少なくとも充電中、待機中又は異常停止の状態ごとに集計し、合計時間又は割合で表示可能なように加工するように構成してもよい。
【００３６】
端末装置５０としては、車両１０及び充電器２０の使用者の端末装置５０ａ、車両１０及び充電器２０の保守・メンテナンス業者の端末装置５０ｂ、車両１０及び充電器２０の製造業者の端末装置５０ｃ等が、インターネット通信網４０を介してサーバ装置３０にアクセス可能なようにすることができる。そして、端末装置５０の操作者が充電に関する必要な情報を適宜選定して表示することができるように、端末装置５０のグラフィカルユーザインタフェースを構成する。
【００３７】
例えば、充電器２０の全ての稼動状態等を表示させるか、或いは配電盤６１又は分電盤６２単位で表示させるかを選択し、また、配電盤６１又は分電盤６２単位で表示させる場合、該配電盤６１又は分電盤６２の全体の稼動状態等を表示させるか、或いは選択した配電盤６１又は分電盤６２に接続された充電器２０のうちから任意に選択した充電器２０の稼動状態等を表示させるようにグラフィカルユーザインタフェースを構成することができる。
【００３８】
また、それらの稼動状態（充電中、待機中、異常停止）等の情報の特定期間のデータをダウンロードして表示させたり、日、週、月、年等の単位で充電電力等を表示させたり、充電電力の時間的な推移をグラフで表示させたりするなど、種々の用途に応じ種々の集計単位で集計して充電器２０の稼動状態に関する種々の情報を表示させるようにグラフィカルユーザインタフェースを構成することができる。
【００３９】
このような充電電力表示システム１００により、充電器２０に対して例えば、（１）充電器２０の稼動管理、（２）充電器２０の充電電力管理、（３）充電器２０の充電電力制御のようなマネジメントを効率よくかつ適確に行うことが可能となる。
【００４０】
上記の（１）充電器２０の稼動管理は、図３の（ａ）に示すデータ等を基に、各充電器２０の充電状態及び正常性に関して、配電盤６１又は分電盤６２単位に表示することにより、充電器２０の稼動管理を効率よくかつ適確に行うことが可能となる。
【００４１】
上記の（２）充電器２０の充電電力管理は、充電器２０の充電電力（瞬間、時間、日、週、月、年間等）の情報を、例えば図３の（ｂ）に示すように分電盤６２又は配電盤６１単位に表示することにより、各充電器２０による充電電力を分電盤６２又は配電盤６１単位に管理し、充電電力の電気代等についての環境マネジメントのレポート作成等を容易に行うことが可能となる。さらに、これらの充電電力情報を、工場エネルギー管理システム（ＦＥＭＳ：Factory Energy Management System）に統合し、各充電器２０の充電電力を含めた工場エネルギー管理システム（ＦＥＭＳ）の構築が可能となる。
【００４２】
上記の（３）充電器２０の充電電力制御は、分電盤６２又は配電盤６１単位の充電電力を端末装置５０に表示することにより、１つの分電盤６２又は配電盤６１に接続された複数の充電器２０に対して、該分電盤６２又は配電盤６１の電力量が一定以下となるよう、各充電器２０の充電電力を抑制させ、分電盤６２又は配電盤６１のアンペアブレーカによる給電遮断を未然に防ぐことが可能となる。
【００４３】
図５に本実施形態の充電電力表示の動作例のフローを示す。図５の（ａ）は、充電器２０が稼動状態の情報をサーバ装置３０に送信する動作例のフローを示す。充電器２０は、タイマー等のカウントアップにより、所定時間が経過したか否かを監視し（Ｓ５０１）、所定時間の経過を検出すると（Ｓ５０１でＹｅｓ）、自身の及び他の充電器２０の充電電力を含む稼動状態の情報を、各充電器２０の識別情報と共にサーバ装置３０へ送信する（Ｓ５０２）。
【００４４】
このとき、各充電器２０の識別情報と各充電器２０が接続された分電盤６２又は配電盤６１の識別情報との対応関係を示す情報を、サーバ装置３０が有していない場合には、充電器２０は、分電盤６２又は配電盤６１の識別情報も共にサーバ装置３０へ送信する。充電器２０は、稼動状態の情報等をサーバ装置３０へ送信した後、次の周期の送信タイミングを待機するため、ステップＳ５０１に戻って所定時間が経過するか否かを監視し、以降、同様の動作を繰り返す。
【００４５】
図５の（ｂ）は、サーバ装置３０が稼動状態の情報を記憶する動作例のフローを示す。サーバ装置３０は、充電器２０からの稼動状態の情報等の受信を待機し（Ｓ５０３）、稼動状態の情報等が受信されると（Ｓ５０３でＹｅｓ）、受信した稼動状態の情報等を、充電器２０の識別情報、分電盤６２又は配電盤６１の識別情報及び受信した日時情報と対応付けて記憶する（Ｓ５０４）。
【００４６】
サーバ装置３０は、受信した稼動状態の情報等を記憶した後、次の周期で稼動状態の情報等が受信されるのを待機するため、ステップＳ５０３に戻って稼動状態の情報等が受信されるか否かを監視し、以降、同様の動作を繰り返す。
【００４７】
図５の（ｃ）は、端末装置５０に稼動状態の情報を表示する動作例のフローを示す。端末装置５０の操作者は、サーバ装置３０にアクセスし（Ｓ５０５）、充電器２０の稼動状態を表示させるＷＥＢ画面にログインし、分電盤６２又は配電盤６１を選択する操作を行う（Ｓ５０６）。
【００４８】
端末装置５０の操作者は、充電器２０の稼動状態を、分電盤６２又は配電盤６１単位に表示するか否かを選択し（Ｓ５０７）、分電盤６２又は配電盤６１単位の表示が選択された場合（Ｓ５０７でＹｅｓ）、端末装置５０は充電器２０の稼動状態を分電盤６２又は配電盤６１単位に表示する（Ｓ５０８）。
【００４９】
また、分電盤６２又は配電盤６１単位の表示が選択されなかった場合（Ｓ５０７でＮｏ）、ステップＳ５０６で選択された分電盤６２又は配電盤６１に接続されている充電器２０の中から、稼動状態等を表示させたい充電器２０を選択することができる画面を端末装置５０に表示し、その操作者はその画面から稼動状態等を表示させたい充電器２０を選択する（Ｓ５０９）。端末装置５０は、ステップＳ５０９で選択された充電器２０の稼動状態等を表示する（Ｓ５１０）。
【００５０】
このように本実施形態の充電電力表示システム及び充電電力表示方法では、充電電力の情報を含む稼動状態の情報を、充電器２０が接続され該充電器２０に電力を供給する分電盤６２又は配電盤６１と対応付けて記憶することにより、充電電力の情報を含む稼動状態の情報を、分電盤６２又は配電盤６１単位に表示させることが可能となる。
【００５１】
そのため、分電盤６２又は配電盤６１単位の充電電力量を端末装置５０に表示することにより、ユーザが瞬時に適確に分電盤６２又は配電盤６１単位に充電電力量を把握することができる。また、分電盤６２又は配電盤６１単位で電力量を一定以下に抑えるよう、充電電力を管理し、分電盤６２等に設けられたアンペアブレーカによる給電遮断を防ぐことが可能となる。
【００５２】
また、分電盤６２又は配電盤６１単位に充電器２０の稼動状態（充電率）を日、週、月又は年毎に集計して表示することにより、所定の期間における充電器２０の稼動状態（充電率）を分電盤６２又は配電盤６１単位に把握することが可能となる。
【００５３】
以上本発明の実施の形態の一例について説明したが、本発明は、以上に述べた実施の形態に限定されるものではなく、本発明の要旨を逸脱しない範囲内で種々の構成又は実施形態を取ることができる。
【符号の説明】
【００５４】
１００  充電電力表示システム
１０    車両
１１    電池パック
１１１  電池制御ユニット
１１２  電池
２０ａ〜２０ｃ  充電器
２１    通信部
２１１  通信制御ユニット
２１２  データ通信モジュール
２１３  通信手段
２１４  通信線
３０    サーバ装置
３１    記憶部
４０    インターネット通信網
５０ａ〜５０ｃ  端末装置
６０    交流電力
６１    配電盤
６２ａ，６２ｂ  分電盤
【図１】
2016082766.tif 000003
【図２】
2016082766.tif 000004
【図３】
2016082766.tif 000005
【図４】
2016082766.tif 000006
【図５】
2016082766.tif 000007